(57)【要約】      （修正有）【課題】平面的な鑑賞物に奥行きをもたせることができる卓上装飾品を提供する。【解決手段】透明な材料によって形成され、下端部に係合片を有するとともに互いに重なり合う前部材２および後部材３を備える。一対の係合片が貫通孔２１（穴）に嵌合することにより前部材２および後部材３を起立した状態で支持する台座４を備える。前部材２は、前方から見て透明な物品の形状に形成されているとともに、内側着色部（半透明な着色部）を有している。後部材３は、前方から見て前部材２の外形に倣う形状の本体部と、前方から見て前部材２より突出する突出部とを備えている。また、後部材３は、本体部から突出部にわたる範囲に平面的な鑑賞物が設けられている。【選択図】図３
0003216420.tif 000002
【実用新案登録請求の範囲】
【請求項１】
透明な材料によって形成され、下端部に係合片を有するとともに互いに重なり合う前部材および後部材と、
前記前部材の前記係合片と前記後部材の前記係合片とが互いに重なり合った状態で嵌合する穴を有し、一対の前記係合片が前記穴に嵌合することにより前記前部材および後部材を起立した状態で支持する台座とを備え、
前記前部材は、前方から見て透明な物品の形状に形成されているとともに、半透明な着色部を有し、
前記後部材は、前方から見て前記前部材の外形に倣う形状の本体部と、前方から見て前記前部材より突出する突出部とを備えているとともに、前記本体部から前記突出部にわたる範囲に平面的な鑑賞物が設けられていることを特徴とする卓上装飾品。
【請求項２】
請求項１記載の卓上装飾品において、
前記後部材は、
前記平面的な鑑賞物の外形に倣う形状に形成されているとともに貫通孔が穿設された付属部品と、
前記付属部品が着脱自在に嵌合する凹部を有するフレームとを備えていることを特徴とする卓上装飾品。
【請求項３】
請求項２記載の卓上装飾品において、
前記付属部品と前記フレームとの嵌合部は、前記付属部品が前記フレームに対して上方から着脱可能となるように形成されていることを特徴とする卓上装飾品。
【考案の詳細な説明】
【技術分野】
【０００１】
本考案は、絵画や写真などの平面的な鑑賞物を有する卓上装飾品に関する。
【背景技術】
【０００２】
従来の卓上装飾品としては、例えば特許文献１に記載されているものがある。この特許文献１に開示された卓上装飾品は、透明な材料からなる筒状体と、この筒状体の中に収容されたシートとを備えている。シートは、絵画や写真が描写され、横断面が波形形状になるように湾曲している。
この卓上装飾品によれば、平面的な絵画や写真が奥行きのある立体画として見えるようになる。
【先行技術文献】
【特許文献】
【０００３】
【特許文献１】実用新案登録第２５９８７４３号公報
【考案の概要】
【考案が解決しようとする課題】
【０００４】
特許文献１に示す卓上装飾品では、絵画や写真などの平面的な鑑賞物に立体感を付与するだけで、平面的な鑑賞物に奥行きをもたせることはできなかった。
【０００５】
本考案の目的は、平面的な鑑賞物に奥行きをもたせることができる卓上装飾品を提供することである。
【課題を解決するための手段】
【０００６】
本考案に係る卓上装飾品は、透明な材料によって形成され、下端部に係合片を有するとともに互いに重なり合う前部材および後部材と、前記前部材の前記係合片と前記後部材の前記係合片とが互いに重なり合った状態で嵌合する穴を有し、一対の前記係合片が前記穴に嵌合することにより前記前部材および後部材を起立した状態で支持する台座とを備え、前記前部材は、前方から見て透明な物品の形状に形成されているとともに、半透明な着色部を有し、前記後部材は、前方から見て前記前部材の外形に倣う形状の本体部と、前方から見て前記前部材より突出する突出部とを備えているとともに、前記本体部から前記突出部にわたる範囲に平面的な鑑賞物が設けられているものである。
【０００７】
本考案は、前記卓上装飾品において、前記後部材は、前記平面的な鑑賞物の外形に倣う形状に形成されているとともに貫通孔が穿設された付属部品と、前記付属部品が着脱自在に嵌合する凹部を有するフレームとを備えていてもよい。
【０００８】
本考案は、前記卓上装飾品において、前記付属部品と前記フレームとの嵌合部は、前記付属部品が前記フレームに対して上方から着脱可能となるように形成されていてもよい。
【考案の効果】
【０００９】
本考案に係る卓上装飾品を前方から見ると、前部材によって構成された透明な物品の中に、後部材に設けられた平面的な鑑賞物が入っているように見える。このため、本考案によれば、前部材と後部材とによって前後方向に重なり合うレイヤー構造が構成されるから、平面的な鑑賞物に奥行きをもたせることが可能な卓上装飾品を提供することができる。
【図面の簡単な説明】
【００１０】
【図１】第１の実施の形態による卓上装飾品の正面図である。
【図２】卓上装飾品の側面図である。
【図３】卓上装飾品の斜視図である。
【図４】前部材の正面図である。
【図５】後部材の正面図である。
【図６】後部材のフレームとキャラクター部品とを分解した状態を示す正面図である。
【図７】台座の平面図である。
【図８】卓上装飾品の分解斜視図である。
【図９】第２の実施の形態による卓上装飾品の正面図である。
【図１０】第２の実施の形態による卓上装飾品の分解斜視図である。
【考案を実施するための形態】
【００１１】
以下、本考案に係る卓上装飾品の一実施の形態を図１〜図８を参照して詳細に説明する。
図１に示す卓上装飾品１は、図１に示す正面視において最も前側に位置する前部材２と、この前部材２の後方に配置された後部材３（図２および図３参照）と、これらの前部材２と後部材３とを支える台座４とによって構成されている。
【００１２】
これらの前部材２、後部材３および台座４は、図２および図３に示すように、それぞれ板材によって所定の形状に形成されている。前部材２と後部材３は、互いに重なり合った状態で台座４に取付けられている。前部材２と後部材３とを台座４に取付ける構造は、後述する。これらの前部材２、後部材３および台座４を形成する材料は、透明なプラスチック材料である。この実施の形態による透明なプラスチック材料は、アクリル樹脂である。
【００１３】
前部材２は、図４に示すように、前方から見てグラスの形状に形成されている。この実施の形態においては、このグラスが本考案でいう「透明な物品」に相当する。
この前部材２における、グラスの脚部となる下端部には、後述する台座４に接続される係合片５が設けられている。また、この前部材２の前面または後面には、グラスの輪郭を表現する外側着色部６と、グラスの内部を表現する内側着色部７とを有している。
【００１４】
外側着色部６は、不透明で、例えば白色で着色されている。図４においては、外側着色部６に左下がりの平行線からなるハッチングを施してある。
内側着色部７は、グラス内の液体を表現する半透明な背景７ａと、光彩を表現する星形状７ｂと、気泡を表現する円形状７ｃとを有している。背景７ａは、グラスの底に近くなればなるほど色が濃くなるようにグラデーションがかけられている。
【００１５】
図４においては、内側着色部７の背景に右下がりの平行線からなるハッチングを施してある。グラデーションは、ハッチングの平行線の間隔を変えて表現している。平行線の間隔が狭い方が色が濃いことを表している。
星形状７ｂは、背景７ａの色とは異なる色で半透明に着色されている。円形状７ｃは、背景７ａの一部を部分的に透明にして描かれている。この実施の形態においては、内側着色部７が本考案でいう「半透明な着色部」に相当する。
【００１６】
後部材３は、図５に示すように、前方から見てグラスの形状に形成された本体部１１と、前方から見て本体部１１から上方に突出する突出部１２とを備えている。本体部１１は、前方から見て前部材２の外形に倣う形状に形成されている。本体部１１の下端部には、後述する台座４に接続される係合片１３が設けられている。
この後部材３の前面または後面には、本体部１１から突出部１２にわたる範囲にキャラクターの画像１４が描かれている。この実施の形態においては、このキャラクター画像１４が本考案でいう「平面的な鑑賞物」に相当する。キャラクターの画像１４は、不透明である。図５においては、キャラクターの画像１４が描かれている範囲にハッチングを施してある。
【００１７】
キャラクターの画像１４と、前部材２の外側着色部６および内側着色部７は、前部材２と後部材３とを重ねた状態で１つの絵を構成する。すなわち、キャラクターの画像１４は、前部材２の外側着色部６および内側着色部７と関連付けて描かれている。この絵は、キャラクターの下部がグラスの中に入り、キャラクターの上部がグラスから上に出る状態を表現している。
【００１８】
この実施の形態による後部材３は、図６および図８に示すように、キャラクターの画像１４の外形に倣う形状に形成されたキャラクター部品１５と、このキャラクター部品１５が着脱自在に嵌合する凹部１６を有するフレーム１７とに分けて形成されている。この実施の形態においては、キャラクター部品１５が請求項記載の考案でいう「付属部品」に相当する。
キャラクター部品１５の上端部には、図示していない紐やストラップなどを通すための貫通孔１８が穿設されている。
フレーム１７の凹部１６は、フレーム１７の前面と、後面と、上面とに開口している。このため、キャラクター部品１５は、フレーム１７に対して前方あるいは後方から着脱される。
この実施の形態によるフレーム１７の前面または後面には、不透明な絵柄１９が描かれている。
【００１９】
台座４は、図７に示すように、平面視において楕円形に形成されており、中央部に貫通孔２１が穿設されている。この実施の形態においては、この貫通孔２１が本考案でいう台座４の「穴」に相当する。貫通孔２１の開口形状は、台座４の左右方向に長い長方形である。ここでいう左右方向とは、前部材２を正面から見たときの左右方向である。
貫通孔２１の開口寸法は、前部材２の係合片５と、後部材３の係合片１３とが前後方向に重なり合った状態で嵌合する寸法に形成されている。これらの一対の係合片５，１３が貫通孔２１に嵌合することにより、前部材２と後部材３とが台座４に対して垂直に起立した状態で台座４に支持される。
【００２０】
この実施の形態による卓上装飾品１を組み立てるためには、先ず、キャラクター部品１５とフレーム１７とを組み合わせて後部材３を組立てる。そして、この後部材３の前面に前部材２を重ね、前部材２の係合片５と後部材３の係合片１３とを台座４の貫通孔２１に嵌合させる。このように３つの部材（前部材２、後部材３および台座４）が組合せられることにより、この実施の形態の卓上装飾品１が完成する。この卓上装飾品１は、台座４を例えば机（図示せず）の上に載せた状態で立てて設置される。
【００２１】
この卓上装飾品１を前方から見ると、前部材２によって構成されたグラス（透明な物品）の中に、後部材３に描かれた画像１４のキャラクターが入っているように見える。この実施の形態においては、グラスの中の半透明な内側着色部７に後部材３のキャラクターの画像１４の一部が薄く透けて見えるようになる。
したがって、この実施の形態によれば、前部材２と後部材３とによって前後方向に重なり合うレイヤー構造が構成されるから、キャラクター画像１４（平面的な鑑賞物）に奥行きをもたせることが可能な卓上装飾品を提供することができる。
【００２２】
この実施の形態による後部材３は、キャラクターの画像１４の外形に倣う形状に形成されているとともに貫通孔１８が穿設されたキャラクター部品１５と、キャラクター部品１５が着脱自在に嵌合する凹部１６を有するフレーム１７とを備えている。
このため、キャラクター部品１５をフレーム１７から外し、いわゆるチャームとして使用することができる。
したがって、この実施の形態による卓上装飾品１は、スタンドとして見て楽しむ他に、キャラクター部品１５をチャームとして携行して楽しむこともできる。
【００２３】
（第２の実施の形態）
本考案に係る卓上装飾品は図９および図１０に示すように構成することができる。図９および図１０において、図１〜図８によって説明したものと同一もしくは同等の部材については、同一符号を付し詳細な説明を適宜省略する。
【００２４】
図９および図１０に示す卓上装飾品３１は、後部材３のキャラクター部品１５とフレーム１７との嵌合部３２の構成が第１の実施の形態とは異なっている。その他の構成は、第１の実施の形態を採るときと同等である。
この実施の形態によるキャラクター部品１５とフレーム１７との嵌合部３２は、キャラクター部品１５がフレーム１７に対して上方から着脱可能となるように形成されている。
【００２５】
このため、この実施の形態においては、台座４と、前部材２と、後部材３のフレーム１７とが一体的に組み合わせられて机上に載置された状態で、フレーム１７の凹部１６に上方からキャラクター部品１５を載せて保持させることができる。したがって、この実施の形態によれば、キャラクター部品からなるチャームを簡単に着脱可能な卓上装飾品を提供することができる。
【００２６】
上述した各実施の形態においては、キャラクター画像１４を平面的な鑑賞物とする例を示した。しかし、本考案は、このような限定にとらわれることはない。すなわち、平面的な鑑賞物としては、幾何学模様を有する画像や抽象的な画像、絵画、写真などでもよい。
【符号の説明】
【００２７】
１…卓上装飾品、２…前部材、３…後部材、４…台座、５，１３…係合片、７…内側着色部（半透明な着色部）、１１…本体部、１２…突出部、１４…キャラクターの画像（平面的な鑑賞物）、１５…キャラクター部品（付属部品）、１６…凹部、１７…フレーム、１８…貫通孔、２１…貫通孔（穴）、３２…嵌合部。
【図１】
0003216420.tif 000003
【図２】
0003216420.tif 000004
【図３】
0003216420.tif 000005
【図４】
0003216420.tif 000006
【図５】
0003216420.tif 000007
【図６】
0003216420.tif 000008
【図７】
0003216420.tif 000009
【図８】
0003216420.tif 000010
【図９】
0003216420.tif 000011
【図１０】
0003216420.tif 000012